(57)【特許請求の範囲】
【請求項１】
屋内に予め形成された部屋に隣接して、複数のパネルを連結して床面上に側壁部及び天井部を形成することで外部から遮断されたプレハブ状のスペースを追加形成するプレハブパネルスペースシステムにおいて、
前記パネルの外周縁面の少なくとも一部に断面凹部又は断面凸部の少なくとも一方を設け、隣接する前記パネルの前記断面凹部と前記断面凸部とを嵌合させることにより前記パネル間を連結して前記側壁部を形成するとともに、前記側壁部を構成する前記パネルの下端縁部をガイドレールで支持し、
前記側壁部を構成する前記パネルの上端縁面に断面凹部又は断面凸部のいずれか一方を設け、前記天井部を構成する前記パネルのうち前記側壁部を構成する前記パネルと連結するものの下面側外周縁近傍に断面凹部又は断面凸部を設けて前記側壁部を構成する前記パネルと嵌合させて前記天井部を形成し、
前記側壁部を構成する前記パネルの一部に、隣接する部屋又は外部と連通する開口部を形成するとともに、前記パネルの下端縁部の前記ガイドレールによる支持が、前記パネルの下端縁部を床面内に埋設した前記ガイドレールに支持するか、又は、前記側壁部を構成する前記パネルの内壁面近傍の床面にスリット状の溝を形成し、薄板状のセパレーターを前記溝内に挿入して前記パネルの内壁面に隣接するように設け、前記セパレータと前記溝との間をシールにより封止したことを特徴とするプレハブパネルスペースシステム。
【請求項２】
請求項１に記載のプレハブパネルスペースシステムにおいて、
前記開口部は、隣接する部屋と連通する窓及び／又は扉であり、前記側壁部を構成する前記パネルと前記部屋の側壁とを並設するとともに、これらの双方に前記開口部を形成し、前記部屋の側壁の前記開口部を構成する部分の外周縁面の所定箇所に枠体を取り付け、前記枠体と前記パネルの前記開口部を構成する外周縁面とを連結したことを特徴とするプレハブパネルスペースシステム。
【請求項３】
請求項１又は請求項２に記載のプレハブパネルスペースシステムにおいて、
前記天井部は、前記パネルの外周縁面の少なくとも一部に断面凹部又は断面凸部の少なくとも一方を設け、隣接する前記パネルの前記断面凹部と前記断面凸部とを嵌合させることにより前記パネル間を連結して形成されており、
前記天井部を構成する前記パネル間の連結部分をまたぐように梁部材を前記天井部上に固定するとともに、前記梁部材を吊り下げ支持したことを特徴とするプレハブパネルスペースシステム。
【請求項４】
請求項３に記載のプレハブパネルスペースシステムにおいて、
前記天井部を構成する前記パネルの一部又は前記パネル間に通気口を形成し、前記通気口を避けた位置に前記梁部材を取り付けたことを特徴とするプレハブパネルスペースシステム。
【発明の詳細な説明】
【０００１】
【発明の属する技術分野】
本発明は、複数のパネルを組み立てて、屋内に予め形成された部屋に隣接するプレハブ状のスペースを追加形成するプレハブパネルスペースシステムに関するものである。
【０００２】
【従来の技術】
従来より、スーパーマーケット等のバックヤード部分に、鮮魚、寿司、惣菜用等の作業室を設置する場合において、壁には、ＬＧＳ等を下地としたＰＢや石綿系ボードに、塗装、半磁器タイル又はステンレス鋼板等で仕上げをしたもの等を用いていた。また、天井には、塵埃の付着や落下防止の観点から、表面の平滑な石綿系ボード等を張って塗装仕上げをしたもの等を用いていた。
さらに、その工法としては、壁面材の耐水性のため、壁面基部を床面より立ち上げた基礎を施工していた。
【０００３】
【発明が解決しようとする課題】
しかし、前述の従来の技術では、工法が複雑であり、施工に日数がかかるという問題があった。したがって、工期が長くなり、例えば作業室のリニューアルの場合には、かなりの日数の間、作業を止めざるを得ないという問題があった。
したがって、本発明が解決しようとする課題は、作業室等の施工において、従来と同等又はそれ以下のコストで、工期を大幅に短縮することである。
【０００４】
【課題を解決するための手段】
上述の課題を解決するために、請求項１の発明は、屋内に予め形成された部屋に隣接して、複数のパネルを連結して床面上に側壁部及び天井部を形成することで外部から遮断されたプレハブ状のスペースを追加形成するプレハブパネルスペースシステムにおいて、
前記パネルの外周縁面の少なくとも一部に断面凹部又は断面凸部の少なくとも一方を設け、隣接する前記パネルの前記断面凹部と前記断面凸部とを嵌合させることにより前記パネル間を連結して前記側壁部を形成するとともに、前記側壁部を構成する前記パネルの下端縁部をガイドレールで支持し、
前記側壁部を構成する前記パネルの上端縁面に断面凹部又は断面凸部のいずれか一方を設け、前記天井部を構成する前記パネルのうち前記側壁部を構成する前記パネルと連結するものの下面側外周縁近傍に断面凹部又は断面凸部を設けて前記側壁部を構成する前記パネルと嵌合させて前記天井部を形成し、
前記側壁部を構成する前記パネルの一部に、隣接する部屋又は外部と連通する開口部を形成するとともに、前記パネルの下端縁部の前記ガイドレールによる支持が、前記パネルの下端縁部を床面内に埋設した前記ガイドレールに支持するか、又は、前記側壁部を構成する前記パネルの内壁面近傍の床面にスリット状の溝を形成し、薄板状のセパレーターを前記溝内に挿入して前記パネルの内壁面に隣接するように設け、前記セパレータと前記溝との間をシールにより封止したことを特徴とする。
【０００５】
請求項２の発明は、請求項１に記載のプレハブパネルスペースシステムにおいて、前記開口部は、隣接する部屋と連通する窓及び／又は扉であり、前記側壁部を構成する前記パネルと前記部屋の側壁とを並設するとともに、これらの双方に前記開口部を形成し、前記部屋の側壁の前記開口部を構成する部分の外周縁面の所定箇所に枠体を取り付け、前記枠体と前記パネルの前記開口部を構成する外周縁面とを連結したことを特徴とする。
請求項３の発明は、請求項１又は請求項２に記載のプレハブパネルスペースシステムにおいて、前記天井部は、前記パネルの外周縁面の少なくとも一部に断面凹部又は断面凸部の少なくとも一方を設け、隣接する前記パネルの前記断面凹部と前記断面凸部とを嵌合させることにより前記パネル間を連結して形成されており、前記天井部を構成する前記パネル間の連結部分をまたぐように梁部材を前記天井部上に固定するとともに、前記梁部材を吊り下げ支持したことを特徴とする。
【０００６】
請求項４の発明は、請求項３に記載のプレハブパネルスペースシステムにおいて、前記天井部を構成する前記パネルの一部又は前記パネル間に通気口を形成し、前記通気口を避けた位置に前記梁部材を取り付けたことを特徴とする。
【０００７】
【作用】
請求項１の発明においては、各パネルの外周縁面に形成された断面凹部と断面凸部とを嵌合させることにより、側壁部を形成することができるとともに、この側壁部をガイドレールにて床面に固定することができる。また、側壁部を構成するパネルの上側外周縁面及び天井部を構成するパネルの内面側外周縁近傍にそれぞれ形成された断面凹部と断面凸部とを嵌合させることにより、側壁部を構成するパネルと天井部を構成するパネルとを連結することができる。パネルは床面内に設けたガイドレールに支持される。さらに、形成されたプレハブ状のスペースと部屋又は外部とが開口部により連通される。したがって、パネルを連結していくだけで、例えば売場に連通する作業場を簡易に、かつ短時間で施工することができる。また、薄板状のセパレータが側壁部を構成するパネルに隣接して設けられるとともにシールにて封入されるので、防水効果を高めることができる。
【０００８】
また、請求項２の発明においては、部屋とこれに隣接するプレハブ状のスペースとが窓及び／又は扉によって連通されるとともに、パネルの開口部を構成する外周縁面と枠体とが連結される。したがって、開口部の外観を良好にするとともに、開口部を窓としたときは、部屋とプレハブ状のスペースとの間での商品の受け渡し等を容易に行うことができ、開口部を扉としたときは、部屋とプレハブ状のスペースとの間の出入り口として利用することができる。
請求項３の発明においては、天井部は複数のパネルを連結することにより形成されるとともに、天井部のパネル間には吊り下げ支持された梁部材が固定される。したがって、天井部の強度を高めることができる。
【０００９】
請求項４の発明においては、天井部に通気口が形成されている場合であっても、通気口のダクト等と干渉することなく梁部材を取り付けることができる。
【００１０】
【発明の実施の形態】
以下、図面等を参照して、本発明の一実施形態について説明する。本発明によるプレハブパネルスペースシステムは、屋内に予め形成された部屋に隣接して、複数のパネルを連結して床面上に側壁部及び天井部を形成することで外部から遮断された作業室その他のプレハブ状のスペースを追加形成するものである。例えばデパートビル内において、寿司や惣菜等の売場に隣接してこれらの食品を加工する作業室を設ける場合や、業務用の冷蔵庫に隣接して出入り室を設ける場合が挙げられる。
【００１１】
図１（ａ）、（ｂ）は、それぞれ本発明に用いるパネル１０の第１、第２実施形態（１０Ａ、１０Ｂ）を示す断面図である。このパネル１０の外面側は、厚みが例えば０．４〜０．５ｍｍ程度の鋼板１４（高張力塗装鋼板又はステンレス鋼板等）から形成されている。また、パネル１０の内部には、コア材１３が充填されている。
【００１２】
コア材１３としては、標準型では例えば硬質ウレタン注入発泡材、準不燃型ではフェノールフォーム、不燃型ではケイ酸マグネシウムハニカム材があげられる。例えば熱を頻繁に使用する惣菜用作業室としては、上記不燃型を用いるのが好ましく、その他の用途の作業室としては、上記標準型や準不燃型を用いるのが好ましい。
【００１３】
パネル１０全体の厚みとしては、例えば４０ｍｍ程度に形成される。また、幅寸法は用途等に応じて異なる。さらにまた、パネル１０の仕上げとしては、ポリエステル樹脂によるコーティングが行われる。
そして、本発明で用いるパネル１０の外周縁面の少なくとも一部には、断面凹部１２又は断面凸部１１の少なくとも一方が設けられている。図１（ａ）のパネル１０Ａでは、右側の外周縁面に断面凸部１１を有するとともに、左側の外周縁面近傍の下面側に断面凹部１２を有する。また、図１（ｂ）のパネル１０Ｂでは、左右両側の外周縁面にそれぞれ断面凹部１２及び断面凸部１１を有する。
そして、図２に示すように、隣接するパネル１０の断面凹部１２と断面凸部１１とを嵌合させることにより隣接するパネル１０間を連結し、側壁部や天井部を構成する。
【００１４】
図３は、冷蔵庫Ｃに隣接して、プレハブパネルスペースシステムの第１実施形態である出入り室２０を形成したときの実施形態を示す平面図である。出入り室２０の側壁部は、上述したように、パネル１０の断面凹部１２と断面凸部１１とを嵌合させて順次並列に接続したものである。また、柱２３の部分は、これを避けるようにコ字状にパネル１０を連結している。
【００１５】
さらにまた、出入り室２０の側壁部の一部には、人の出入り用の扉（開口部）２１が形成されている。すなわち、扉２１により出入り室２０と外部とが連通している。
図４は、扉２１の取り付けを説明するための斜視図であり、（ａ）は枠体２２を示し、（ｂ）は扉２１の取り付け状態を示す。図中、（ａ）に示すように、枠体２２は、扉２１の外形に合わせてコ字型に形成された部材である。枠体２２は、パネル１０にて側壁部を形成するときにパネル１０と同様にパネル１０間に設けられる。すなわち、枠体２２の外周縁面には、パネル１０と嵌合可能な断面凹部２２ａ及び断面凸部（図示せず）が設けられている。そして、側壁部を構成する１つのパネル１０の代わりに枠体２２を設けた後、枠体２２に扉２１を係合することにより、側壁部の一部分に扉２１が設けられる。
【００１６】
図５は、パネル１０の側壁部と天井部とを示す断面図である。図５において、側壁部と天井部との連結としては、側壁部を構成するパネル１０の上端外縁面上に外縁に沿って延在する断面凸部１１を形成するとともに、天井部を構成するパネル１０の内面側の外縁近傍に断面凹部１２を形成し、これらの断面凸部１１と断面凹部１２とを嵌合させることにより、側壁部と天井部とを連結している。
また、天井部を構成するパネル１０は、側壁部を構成するパネル１０と同様であり、それぞれパネル１０の外周縁面の少なくとも一部に断面凹部１２や断面凸部１１を設け、隣接するパネル１０の断面凹部１２と断面凸部１１とを嵌合させることにより隣接するパネル１０間を連結している。
【００１７】
図６は、売場Ｓに隣接して形成したプレハブパネルスペースシステムの第２実施形態である作業室２０’を示す断面図である。作業室２０’の側壁部及び天井部は、上述の出入り室２０と同様にパネル１０を連結することにより形成されている。また、この作業室２０’の側壁部には売場Ｓと連通する開口窓２４が形成されている。ここで、売場Ｓ側の側壁１と作業室２０’の側壁部のパネル１０とは、隣接するように並設されている。そして、窓２４は、作業室２０’の室内と売場Ｓ側を連通するように形成されている。売場Ｓ側の側壁１の開口窓２４を構成している上下側の外周縁面には、ステンレス等からなる窓枠２Ａ、２Ｂがそれぞれ取り付けられている。これらの窓枠２Ａ、２Ｂは、断面略Ｔ字状に形成されている。
【００１８】
図７は、窓枠２Ａ、２Ｂと、パネル１０の外周縁面との連結状態を詳細に示す拡大図である。図７に示すように、窓枠２Ａ、２Ｂと、パネル１０の開口窓２４を構成する外周縁面との間には、アルミニウム等からなる断面Ｌ形のアングル２５が挿入されており、このアングル２５がそれぞれパネル１０及び窓枠２Ａ、２Ｂにネジ止めされることにより両者が連結されている。このような窓枠２Ａ、２Ｂを設けるとともに、下側の窓枠２Ｂをカウンター状に形成することにより、開口窓２４の窓枠２Ｂをカウンターとして利用することができるので、作業室２０’と売場Ｓとの間での調理品等の受け渡しを容易に行うことができる。
【００１９】
図８は、作業室２０’において、開口窓２４に代えて扉３を取り付けた状態を示す図である。作業室２０’と売場Ｓとを扉３にて連通する場合には、売場Ｓ側の側壁１及びパネル１０に、略逆Ｕ形に切り欠いた開口部２６を形成し、この開口部２６に扉３を取り付ける。また、図６で示したものと同様に、売場Ｓ側の側壁１の開口部２６の上側外周縁面には枠体２Ｃを取り付ける。そして、パネル１０の開口部２６の下端面を、枠体２Ｃに連結する。これにより、作業室２０’と売場Ｓとの間の出入りを容易に行うことができる。
【００２０】
図９〜図１１は、それぞれ、側壁部を構成するパネル１０の下端部の床面との連結状態の第１〜第３実施形態を示す断面図である。図９の例は、図５や図６に示すものであり、断面コ字状のガイドレール（チャンネルランナー）３１を床面内に埋設するとともに、スラブ３２を介してアンカーボルト３３で締結したものである。そして、側壁部を構成するパネル１０を床面内に埋設し、そのパネル１０の下端部をガイドレール３１で支持している。さらに、側壁部を構成するパネル１０の床面上には、断面がＬ型のスペーサ３４が室内側に取り付けられており、清掃しやすさを確保している。
【００２１】
また、図１０の例では、ガイドレール３１の周囲部にウレタン発泡剤ランナー３５を設けるとともに、その下側にモルタル３６及び防水層３７を形成したものである。さらにまた、図１１の例では、パネル１０の下端部にスペーサー１５を設けるとともにアルミニウムからなるガイドレール３８にて支持し、このガイドレール３８をボルト３９にて床面に締結したものである。
【００２２】
図１２は、図５等の天井部上の梁部材を詳細に示す一部断面図である。天井部を構成するパネル１０間の断面凹部１２と断面凸部１１との間をまたぐように、断面台形状の梁部材４１が天井部上に設けられる。パネル１０の梁部材４１が取り付けられる部分の内部には、メネジ部１７を設けた固定用金具１６が予め埋設されている。そして、パネル１０の外側から梁部材４１を貫通するようにネジ４２を挿入し、メネジ部１７にネジ止めすることで、梁部材４１がパネル１０に固定されている。さらに、この梁部材４１の上端部に、天井面側との間を連結するように、吊り部材４３が取り付けられている。そして、吊り部材４３は、吊りボルト４３ａ（図５）にて天井面に固定されている。これにより、パネル１０の天井部は、梁部材４１及び吊り部材４３によって支持される。
【００２３】
なお、天井部を支持する梁部材４１は、天井部が多数枚のパネル１０を連結することにより構成される場合には強度上必要であるが、例えば天井部が１枚又は少数枚のパネル１０から構成される場合であって梁部材４１を設けなくても十分な強度を確保できるときは、梁部材４１は、必ずしも必要ない。
【００２４】
図１３は、天井部と梁部材４１との位置関係を示す平面図であり、（ａ）、（ｂ）は、それぞれ第１、第２実施形態を示す。（ａ）の例では左右方向に延在するパネル１０を上下方向に連結したものであり、梁部材４１は、上下方向に延在するように配置されるとともに左右に２つ並設されている。また、天井部を構成するパネル１０には、通気口であるクーラー用及び排気用のダクト１８及び１９が形成されている。そして梁部材４１は、このダクト１８及び１９の位置を避けるように配置されている。
【００２５】
また、（ｂ）の例では上下方向に延在するパネル１０が左右方向に連結されたものを示し、梁部材４１は、パネル１０の中央部において左右方向に延在するように配置されている。
本発明では、原則として１つの梁部材４１を１つの吊りボルト４３ａにて吊っているので、吊りボルト４３ａ数を従来より大幅に削減することができる。
【００２６】
図１４は、側壁部を構成するパネル１０の下端近傍を示す断面図であり、防水タイプの例を示したものである。側壁部を構成するパネル１０の内壁面近傍に位置する床面にはスリット状の溝５１が形成されており、この溝５１内に薄板状のセパレータ５２が挿入され、さらにセパレータ５２と溝５１との間隙にシール５３が封入されることで密閉されている。さらに、パネル１０の床面上には略Ｌ形の巾木５４が取り付けられ、パネル１０の内壁面と巾木５４との間隙にもシール５３が封入され、防水加工がなされている。なお、側壁部を構成するパネル１０の下端縁部は、床面に埋設されたアンカー５５にネジ止めされたガイドレール５６によって支持されている。
【００２７】
【発明の効果】
請求項１の発明によれば、壁面基部を床面より立ち上げた基礎部の施工等の必要がなく、パネルを組み立てるのみで、極めて簡易な工法にて、部屋に隣接してプレハブ状のスペースを形成することができるので、施工時間を大幅に短縮することができる。また、防水効果を高めることができる。また、請求項２の発明によれば、開口部の外観を良好にするとともに、開口部を窓としたときは、部屋とプレハブ状のスペースとの間での商品の受け渡し等を容易に行うことができ、開口部を扉としたときは、部屋とプレハブ状のスペースとの間の出入り口として利用することができる。
【００２８】
請求項３の発明によれば、天井部を多数枚のパネルを連結したものから形成した場合でも、天井部の強度を高めることができる。請求項４の発明によれば、通気口のダクト等と干渉することなく梁部材を取り付けることができる。
【図面の簡単な説明】
【図１】（ａ）、（ｂ）は、それぞれ本発明に用いるパネルの第１、第２実施形態を示す断面図である。
【図２】隣接するパネルの断面凹部と断面凸部とを嵌合させることにより隣接するパネル間を連結した状態を示す図である。
【図３】冷蔵庫に隣接して出入り室を形成したときの実施形態を示す平面図である。
【図４】扉の取り付けを説明するための斜視図であり、（ａ）は枠体を示し、（ｂ）は扉の取り付け状態を示す。
【図５】パネルの側壁部と天井部とを示す断面図である。
【図６】売場に隣接して形成した作業室を示す断面図である。
【図７】図６の窓枠とパネルとの連結状態を詳細に示す拡大図である。
【図８】図６の作業室において、開口窓に代えて扉を取り付けた状態を示す図である。
【図９】側壁部を構成するパネルの下端部と床部との連結状態の第１実施形態を示す断面図である。
【図１０】側壁部を構成するパネルの下端部と床部との連結状態の第２実施形態を示す断面図である。
【図１１】側壁部を構成するパネルの下端部と床部との連結状態の第３実施形態を示す断面図である。
【図１２】図５の天井部上の梁部材を詳細に示す一部断面図である。
【図１３】天井部と梁部材との位置関係を示す平面図であり、（ａ）、（ｂ）は、それぞれ第１、第２実施形態を示す。
【図１４】側壁部を構成するパネルの下端近傍を示す断面図であり、防水タイプの例を示す。
【符号の説明】
２Ａ、２Ｂ  窓枠（枠体）
２Ｃ  枠体
３  扉
１０  パネル
１１  断面凸部
１２  断面凹部
１８、１９  ダクト（通気口）
２０  出入り室（プレハブパネルスペースシステム）
２０’  作業室（プレハブパネルスペースシステム）
２４  開口窓（開口部）
２６  開口部
３１  ガイドレール
３２  スラブ
３３  アンカーボルト
３４  スペーサ
４１  梁部材
４３  吊り部材
５１  溝
５２  セパレータ
５３  シール
Ｃ  冷蔵庫
Ｓ  売場
【図１】
0003943744.tif 000002
【図２】
0003943744.tif 000003
【図３】
0003943744.tif 000004
【図４】
0003943744.tif 000005
【図５】
0003943744.tif 000006
【図６】
0003943744.tif 000007
【図７】
0003943744.tif 000008
【図８】
0003943744.tif 000009
【図９】
0003943744.tif 000010
【図１０】
0003943744.tif 000011
【図１１】
0003943744.tif 000012
【図１２】
0003943744.tif 000013
【図１３】
0003943744.tif 000014
【図１４】
0003943744.tif 000015